(57)【要約】【課題】脚パーツに対する昇降パーツの掛合箇所に大きな力が作用される場合に、この掛合をかかる掛合をなす掛合体を脚パーツから離れる向きに全体として移動させて解くようにする。【解決手段】脚パーツ１にその軸方向に沿った移動可能で且つ各移動位置において掛合可能に組み合わされて被支持体Ｐを高さ調整可能に支持する昇降パーツ２を備える。昇降パーツ２は、脚パーツ１の通し部２００と被支持体Ｐへの取り付け部２０１を備えた本体２０と、この本体２０への回動組み合わせ部２１３と脚パーツ１への掛合爪部２１４とを備えた掛合体２１と、脚パーツ１への掛合爪部２１４の掛合を解く向きの掛合体２１の回動を弾性をもって規制する規制体２２とを備えている。昇降パーツ２に所定の大きさを超える力が作用されたときに、掛合体２１の回動組み合わせ部２１３が脚パーツ１から離れる向きに移動されるようになっている。【選択図】図９
2009270665.tif 000002
【特許請求の範囲】
【請求項１】
脚パーツと、この脚パーツにその軸方向に沿った移動可能で且つ各移動位置において掛合可能に組み合わされて被支持体を高さ調整可能に支持する昇降パーツとを備えてなり、
昇降パーツは、脚パーツの通し部と被支持体への取り付け部を備えた本体と、この本体への回動組み合わせ部と脚パーツへの掛合爪部とを備えた掛合体と、脚パーツへの掛合爪部の掛合を解く向きの掛合体の回動を弾性をもって規制する規制体とを備えており、
昇降パーツに所定の大きさを超える力が作用されたときに、掛合体の回動組み合わせ部が脚パーツから離れる向きに移動されるようになっていることを特徴とする脚装置。
【請求項２】
掛合体の回動組み合わせ部が、本体に形成された長穴状をなす軸穴の脚パーツ側の端部に弾性的に保持される軸状をなすように構成されていることを特徴とする請求項１に記載の脚装置。
【請求項３】
軸穴の長さ方向にある穴壁の少なくとも一方が、弾性変形可能に構成されていることを特徴とする請求項２に記載の脚装置。
【請求項４】
回動組み合わせ部と掛合爪部とは上下方向に間隔を開けて掛合体に備えられていることを特徴とする請求項１〜請求項３のいずれか１項に記載の脚装置。
【請求項５】
掛合体に、規制体を弾性変形させる向きのこの掛合体の回動操作を可能とする操作部が備えられていることを特徴とする請求項１〜請求項４のいずれか１項に記載の脚装置。
【発明の詳細な説明】
【技術分野】
【０００１】
この発明は、各種の被支持体に取り付けられてこの被支持体の脚となると共に、かかる被支持体を高さ調整可能に支持する機能を備えた脚装置の改良に関する。
【背景技術】
【０００２】
脚軸と、この脚軸の雄ねじ部に噛み合う雌ねじ状部を持ったロック体を備えた昇降体とからなる脚装置として特許文献１に示されるものがある。被支持体は昇降体を介して脚軸により支持される。
【０００３】
しかるに、この種の脚装置にあっては、被支持体側に想定よりも大きい荷重や衝撃が作用された場合、これから生じる力が構造上雌ねじ状部に集中するため、前記ロック体にはある程度の剛性を持たせなければならなかった。
【特許文献１】特開２００６−６４１３３号公報
【発明の開示】
【発明が解決しようとする課題】
【０００４】
この発明が解決しようとする主たる問題点は、この種の脚装置において、脚パーツ（特許文献１における脚軸）に対する昇降パーツ（特許文献１における昇降体）の掛合箇所に大きな力が作用される場合に、この掛合をかかる掛合をなす掛合体（特許文献１におけるロック体）を脚パーツから離れる向きに全体として移動させて解くようにする点にある。
【課題を解決するための手段】
【０００５】
前記課題を達成するために、この発明にあっては、脚装置を、脚パーツと、この脚パーツにその軸方向に沿った移動可能で且つ各移動位置において掛合可能に組み合わされて被支持体を高さ調整可能に支持する昇降パーツとを備えてなり、
昇降パーツは、脚パーツの通し部と被支持体への取り付け部を備えた本体と、この本体への回動組み合わせ部と脚パーツへの掛合爪部とを備えた掛合体と、脚パーツへの掛合爪部の掛合を解く向きの掛合体の回動を弾性をもって規制する規制体とを備えており、
昇降パーツに所定の大きさを超える力が作用されたときに、掛合体の回動組み合わせ部が脚パーツから離れる向きに移動されるようになっているものとした。
【０００６】
規制体によって脚パーツへの掛合爪部の掛合を解く向きの掛合体の回動は規制されることから、これにより任意の高さに昇降パーツを位置づけさせて状態で被支持体を脚パーツによって支持させることができる。被支持体の支持高さの調整は、規制体を弾性変形させながら脚パーツへの掛合爪部の掛合を解く向きに掛合体を回動させた後に被支持体共々昇降パーツを所望の位置まで移動させ、この所望の位置でかかる回動操作を止めると、規制体の弾性復帰により再び掛合爪部がこの所望の位置で脚パーツに掛合されることから、ワンタッチでなすことができる。掛合体に、規制体を弾性変形させる向きのこの掛合体の回動操作を可能とする操作部を備えさせておけば、この回動操作を容易になすことができる。昇降パーツに前記のような力が作用されたときには、掛合体の回動組み合わせ部は脚パーツから離れる向きに移動され、これにより掛合体は全体として脚パーツから離れるので、脚パーツと掛合体の掛合爪部との掛合を解いてこの掛合爪部の破損などを生じないようにすることができる。
【０００７】
前記掛合体の回動組み合わせ部を、本体に形成された長穴状をなす軸穴の脚パーツ側の端部に弾性的に保持される軸状をなすように構成させ、また、軸穴の長さ方向にある穴壁の少なくとも一方を弾性変形可能に構成させておけば、前記のような力の作用がなされたときには、弾性変形によりこの軸穴の脚パーツ側の端部から回動組み合わせ部を抜け出させて脚パーツと昇降パーツの掛合体の掛合爪部との掛合を解くことができると共に、この後に軸穴の脚パーツ側の端部に回動組み合わせ部を押し込ませて保持させ直すことで再び脚パーツに掛合体の掛合爪部が掛合される初期の状態への復帰をなすことができる。
【０００８】
また、前記回動組み合わせ部と掛合爪部とを上下方向に間隔を開けて掛合体に備えさせておけば、前記のような力の作用がなされたときには、効果的に軸穴の脚パーツ側の端部から回動組み合わせ部を抜け出させるように掛合体を移動させることができる。
【発明の効果】
【０００９】
この発明にかかる脚装置によれば、脚パーツに対する昇降パーツの掛合箇所に大きな力が作用される場合には、掛合体の回動組み合わせ部を脚パーツから離れる向きに移動させてかかる掛合を解くことができ、掛合体の剛性を過度に高めなくても支障がなく、したがってまた、脚装置を被支持体共々支障少なくダウンサイジングできる特長を有する。
【発明を実施するための最良の形態】
【００１０】
以下、図１〜図１１に基づいて、この発明を実施するための最良の形態について説明する。
【００１１】
なお、ここで図１はこの発明を適用して構成された脚装置Ｌの一例を被支持体Ｐに取り付けさせてこの脚装置Ｌをもって被支持体Ｐを支持させた状態を被支持体Ｐの要部を断面にして示している。図２〜図７はかかる脚装置Ｌをそれぞれ示しており、図８はかかる脚装置Ｌの昇降パーツ２を構成する掛合体２１を示している。
【００１２】
また、図９は脚パーツ１の上下方向略中程の位置に昇降パーツ２を位置づけさせた状態を、図１０は図９の状態から脚パーツ１への掛合爪部２１４の掛合を解く向きに掛合体２１を回動操作した状態を、図１１は昇降パーツ２に所定の大きさを超える力が作用されて掛合体２１の回動組み合わせ部２１３が脚パーツ１から離れる向きに移動された状態を、昇降パーツ２の本体２０を断面にして示している。
【００１３】
この実施の形態にかかる脚装置Ｌは、各種の被支持体Ｐに取り付けられてこの被支持体Ｐの脚となると共に、かかる被支持体Ｐを高さ調整（レベル調整）可能に支持する機能（アジャスター機能）を備えたものである。
【００１４】
具体的には、かかる脚装置Ｌは、例えば、いわゆる液晶プロジェクター、映写機、スライド映写機などの投影機の脚として、あるいはまた、三脚などの脚の下端部に取り付けられてこの脚の一部をなすものとして、用いることができる。この脚装置Ｌがかかる投影機に用いられる場合には、この投影機の投影レンズが設けられた前部側の下部に備え付けられてこの投影機の傾斜角を調整するように用いられ、これにより、この投影レンズから投影される映像がスクリーンなどに映し出される高さ位置を調整するように用いられる。
【００１５】
かかる脚装置Ｌは、脚パーツ１と、昇降パーツ２とから構成されている。
【００１６】
脚パーツ１は、下端部を接地部１０とした棒状をなすように構成されている。脚パーツ１は、その上端部から接地部１０までを、横断面の外郭形状を略長方形状とするように構成されている。接地部１０は、脚パーツ１の上端部１１から接地部１０までの外径よりも大きく、接地部１０の上部には上方を向いた周回段差面１０ａが形成されている。接地部１０の下面は弧状面とされていると共に、この下面にはクッション材１０ｂが付設されている。脚パーツ１は、かかるクッション材１０ｂを床面、地面、テーブル面などの支持面Ｍに接地させてこの支持面Ｍなどの上に被支持体Ｐを支持させるようになっている。
【００１７】
かかる脚パーツ１の接地部１０上であって、その幅狭の両側面１２、１２の一方には、上下方向に続くラック部１３が形成されている。このラック部１３の各歯は、刃先１３ａを水平方向に沿わせると共に、この刃先１３ａより上方を後述する昇降パーツ２の掛合体２１の掛合爪部２１４に対する掛合面１３ｂとし、この刃先１３ａより下方をこの刃先１３ａに向かうに連れて次第に歯の上下方向の寸法を小さくする向きに傾斜した傾斜面１３ｃとして、かかる掛合爪部２１４と協働して後述するようにラチェット機構を構成するようになっている。
【００１８】
昇降パーツ２は、前記脚パーツ１にその軸方向（すなわち、上下方向）に沿った移動可能で且つ各移動位置においてこの脚パーツ１に掛合可能に組み合わされている。そして、かかる昇降パーツ２を介して被支持体Ｐは高さ調整可能に支持されるようになっている。
【００１９】
かかる昇降パーツ２は、本体２０と、掛合体２１と、規制体２２とを備えている。
【００２０】
本体２０は、脚パーツ１の通し部２００と被支持体Ｐへの取り付け部２０１とを備えている。この実施の形態にあっては、かかる本体２０は、長方形の板状をなす天板部２０２及び底板部２０３と、この天板部２０２及び底板部２０３の長さ方向に亘る一辺間及び他辺間に亘ってそれぞれ設けられた側板部２０４とを備えている。天板部２０２と底板部２０３との間の本体２０の上下寸法は脚パーツ１の接地部１０上の長さよりも小さく、本体２０は接地部１０の前記周回段差面１０ａに底板部２０３を突き当てる位置を下限とし、脚パーツ１の上端部１１に形成された抜け止め部１４に本体２０の内側に形成された図示しない突き当たり部を突き当てさせる位置を上限として、脚パーツ１の軸方向に沿って上下方向のスライド移動可能に組み合わされている。天板部２０２と底板部２０３とにはそれぞれ脚パーツ１の接地部１０上に位置される箇所の横断面外郭形状に倣った貫通穴２００ａがそれぞれ形成されており、この貫通穴２００ａが前記通し部２００として機能するようになっている。かかる貫通穴２００ａは天板部２０２及び底板部２０３の幅方向に亘る一辺側に偏って形成されており、本体２０は二箇所の貫通穴２００ａ、２００ａ間にある脚パーツ１の収納空間２０５と、この収納空間の側方において掛合体２１を納める掛合体２１の収納空間２０６とを持つようになっている。（図９）
【００２１】
本体２０の両側板部２０４、２０４であって脚パーツ１の収納空間２０５の側方に位置される箇所にはそれぞれ、一対の縦向きの割溝２０７ａ、２０７ａと、この一対の縦向きの割溝２０７ａ、２０７ａの溝下端間に亘る横向きの割溝２０７ｂとによって弾性片２０７が形成されていると共に、この弾性片２０７の下端側には掛合凸部２０７ｃが形成されている。この実施の形態にあっては、被支持体Ｐに形成された脚装置Ｌの取り付け用のはめ込み部Ｐａにこの本体２０をはめ込みきった位置でのこの弾性片２０７の弾発によってかかるはめ込み部Ｐａに形成させた掛合凹部Ｐｂにかかる掛合凸部２０７ｃを掛合させて、かかる被支持体Ｐに脚装置Ｌをワンタッチで取り付けることができるようになっている。すなわち、この実施の形態にあっては、かかる掛合凸部２０７ｃが前記取り付け部２０１として機能するようになっている。
【００２２】
また、本体２０の両側板部であって掛合体２１の収納空間２０６の側方に位置される箇所にはそれぞれ、横方向に長い長穴状をなす軸穴２０８が側板部を貫通して形成されている。この実施の形態にあっては、後述する掛合体２１の回動組み合わせ部２１３が軸状をなすように構成されており、この回動組み合わせ部２１３をかかる本体２０に形成された長穴状をなす軸穴２０８の脚パーツ１側の端部２０８ａに弾性的に保持させて、かかる本体２０に掛合体２１を回動可能に組み合わせている。具体的には、かかる軸穴２０８は、脚パーツ１側の端部２０８ａを掛合体２１の軸状をなす回動組み合わせ部２１３の外径に略等しい仮想の円の円弧に沿った保持部２０８ｂとすると共に、この保持部２０８ｂの形成側と反対の端部２０８ｃとこの保持部２０８ｂとの間を回動組み合わせ部２１３の外径よりもやや幅狭の溝状部２０８ｄとしている。かかる軸穴２０８の下方には、この軸穴２０８と略平行をなすように横方向に長く続く割溝２０９が形成されていると共に、かかる軸穴２０８の溝状部２０８ｄとこの割溝２０９とは、両者の間に脚パーツ１側を基部とした弾性片２１０を形成させる縦向きの連通溝２１１によって連通されている。これにより、この実施の形態にあっては、かかる軸穴２０８の長さ方向にある穴壁の一方が、弾性変形可能に構成されている。
【００２３】
かかる軸穴２０８の上部には、天板部２０２の幅方向に亘る他辺側に位置される側板部２０４の縁部より内側にあって、掛合体２１の回動組み合わせ部２１３を軸穴２０８の保持部２０８ｂに保持させた組み合わせ状態において後述する規制体２２の内面に向き合う当接部２１２が形成されている。
【００２４】
掛合体２１は、かかる本体２０への回動組み合わせ部２１３と脚パーツ１への掛合爪部２１４とを備えている。この実施の形態にあっては、かかる掛合体２１は、前記収納空間２０６に収まる幅を備えて本体２０の両側板部２０４、２０４間に入れ込まれる基部２１５を有すると共に、この基部２１５の内端２１５ａ、すなわち、脚パーツ１に向けられた側から上方に突き出す突きだし部２１６と、この突きだし部２１６の外側にあってこの突きだし部２１６との間に間隔を開けて前記基部２１５から上方に突き出す弾性板片として構成された規制体２２とを備えている。
【００２５】
掛合爪部２１４は、かかる基部２１５の内端２１５ａに形成されている。図示の例では、かかる掛合爪部２１４は、基部２１５の幅方向に亘るリブ状をなすと共に、前記ラック部１３の隣り合う歯のピッチ分の間隔を上下に開けて二条備えられている。かかる掛合爪部２１４は、上部をラック部１３の歯の傾斜面１３ｃｂに整合する傾斜面２１４ａとし、下部をラック部１３の歯の掛合面１３ｂに整合する掛合面２１４ｂとしている。
【００２６】
突きだし部２１６の上端であって、本体２０の側板部２０４に向き合う側にはそれぞれ、短寸円柱状の軸状をなす回動組み合わせ部２１３がその軸線を横向きに配するようにして形成されている。掛合体２１は、かかる二箇所の回動組み合わせ部２１３を対応する本体２０の軸穴２０８の保持部２０８ｂにそれぞれ入れ込ませて保持させることで、この回動組み合わせ部２１３を中心とした回動可能に本体２０に組み合わされている。
【００２７】
脚パーツ１は昇降体の本体２０に対し掛合体２１の収納空間２０６側にラック部１３を臨ませる向きで組み合わされている。そして、かかる本体２０に前記のように組み合わされた掛合体２１の前記規制体２２は本体２０の前記当接部２１２に突き当たるように位置されて、掛合爪部２１４が脚パーツ１のラック部１３に噛み合う位置に位置づけられるようになっている。（図９）すなわち、この実施の形態にあっては、かかる脚パーツ１への掛合爪部２１４の掛合を解く向きの掛合体２１の回動を弾性をもって規制する規制体２２がかかる掛合体２１と一体化されている。
【００２８】
また、この実施の形態にあっては、掛合体２１の基部２１５の外端２１５ｂ側がその収納空間２０６から本体２０の外側に延び出していると共に、この延び出した箇所にかかる規制体２２を弾性変形させる向きのこの掛合体２１の回動操作を可能とする操作部２１７が備えられている。この実施の形態にあっては、かかる操作部２１７は、横方向に長い板状をなすと共に、その長さ方向に亘る辺部の中間を掛合体２１の基部２１５の外端２１５ｂに一体に連接させている。
【００２９】
規制体２２によって脚パーツ１への掛合爪部２１４の掛合を解く向きの掛合体２１の回動は規制されることから、これにより任意の高さに昇降パーツ２を位置づけさせて状態で被支持体Ｐを脚パーツ１によって支持させることができる。被支持体Ｐの支持高さの調整は、規制体２２を弾性変形させながら脚パーツ１への掛合爪部２１４の掛合を解く向きに掛合体２１を回動させた後に被支持体Ｐ共々昇降パーツ２を所望の位置まで移動させ、この所望の位置でかかる回動操作を止めると、規制体２２の弾性復帰により再び掛合爪部２１４がこの所望の位置で脚パーツ１に掛合されることから、ワンタッチでなすことができる。（図１０）この実施の形態にあっては、前記操作部２１７により、この掛合体２１の回動操作を容易に行うことができる。また、この実施の形態にあっては、脚パーツ１のラック部１３と掛合爪部２１４は、掛合状態においてラック部１３の歯の下側に形成された傾斜面１３ｃを掛合爪部２１４の上側の傾斜面２１４ａに整合させるようになっていることから、操作部２１７を利用した掛合体２１の回動操作をしなくても、昇降パーツ２つまり被支持体Ｐの上方への移動は規制体２２の弾性変形を生じさせながら逐次可能となっており、移動を止めた位置では被支持体Ｐをその位置で支持できるようになっている。すなわち、この実施の形態にあっては、かかるラック部１３と掛合爪部２１４とによって、上方への昇降パーツ２のフリーストップでの移動のみを許容するラチェット機構が構成されている。
【００３０】
また、この実施の形態にあっては、昇降パーツ２に所定の大きさを超える力が作用されたときに、掛合体２１の回動組み合わせ部２１３が脚パーツ１から離れる向きに移動されるようになっている。（図１１）この実施の形態にあっては、典型的には、被支持体Ｐを通じて、昇降パーツ２に所定の大きさの下向きの荷重や衝撃が作用されたときに、相対的に上方に移動される脚パーツ１によって、掛合体２１に掛合爪部２１４を介して前記軸穴２０８の保持部２０８ｂから回動組み付け部を抜き出させる向きの力が作用されてこれにより回動組み合わせ部２１３が脚パーツ１から離れラック部１３と掛合爪部２１４との掛合も解かれるようになっている。
【００３１】
これにより、この実施の形態にかかる脚装置Ｌにあっては、前記のような力が作用されたときに、脚パーツ１と昇降パーツ２の掛合体２１の掛合爪部２１４との掛合を解いてこの掛合爪部２１４の破損などを生じないようにすることができる。この結果、脚パーツ１や掛合体２１をプラスチック材料によって支障なく構成させることができると共に、脚装置Ｌを支障少なくダウンサイジングすることができる。
【００３２】
この実施の形態にあっては、掛合体２１の回動組み合わせ部２１３は、本体２０に形成された長穴状をなす軸穴２０８の脚パーツ１側の端部に弾性的に保持される軸状をなすように構成されており、より具体的には、軸穴２０８の長さ方向にある穴壁の少なくとも一方が、弾性変形可能に構成されていることから、前記のような力の作用がなされたときには、弾性変形によりこの軸穴２０８の脚パーツ１側の端部２０８ａから回動組み合わせ部２１３を抜け出させて脚パーツ１と昇降パーツ２の掛合体２１の掛合爪部２１４との掛合を解くことができると共に、この後に端部２０８ｃ側に弾性片２１０をもって保持されている回動組み合わせ部２１３を軸穴２０８の脚パーツ１側の端部２０８ａに押し込ませて保持させ直すことで再び脚パーツ１に掛合体２１の掛合爪部２１４が掛合される初期の状態への復帰をなすことができる。
【００３３】
この実施の形態にあっては、回動組み合わせ部２１３と掛合爪部２１４とは上下方向に間隔を開けて掛合体２１に備えられていることから、前記のような力の作用がなされたときには、効果的に軸穴２０８の脚パーツ１側の端部から回動組み合わせ部２１３を抜け出させるように掛合体２１を移動させることができる。
【図面の簡単な説明】
【００３４】
【図１】脚装置Ｌの使用状態を示した要部破断構成図
【図２】脚装置Ｌの左側面図
【図３】同右側面図
【図４】同背面図
【図５】同正面図
【図６】同平面図
【図７】同底面図
【図８】掛合体２１の斜視図
【図９】脚装置Ｌの要部破断側面図
【図１０】脚装置Ｌの要部破断側面図
【図１１】脚装置Ｌの要部破断側面図
【符号の説明】
【００３５】
１  脚パーツ
２  昇降パーツ
２０  本体
２１  掛合体
２２  規制体
２００  通し部
２０１  取り付け部
２１３  回動組み合わせ部
２１４  掛合爪部
Ｐ  被支持体
【図１】
2009270665.tif 000003
【図２】
2009270665.tif 000004
【図３】
2009270665.tif 000005
【図４】
2009270665.tif 000006
【図５】
2009270665.tif 000007
【図６】
2009270665.tif 000008
【図７】
2009270665.tif 000009
【図８】
2009270665.tif 000010
【図９】
2009270665.tif 000011
【図１０】
2009270665.tif 000012
【図１１】
2009270665.tif 000013